(57)【要約】【課題】  コンパクト化に有利なディスクドライブ装置を提供する。【解決手段】  ベースシャーシ１にターンテーブル２とガイドシャフト３,３を載設するとともに、該ガイドシャフト３,３に光ピックアップ８をスライド自在に組み付ける。ターンテーブル２に載置保持されたディスク５の下面に対し、光ピックアップ８を径方向に移動させながら光線を照射する。ガイドシャフト３,３をベースシャーシ１に固定する一方、光ピックアップ８はガイドシャフト３,３に支持されるブラケット部８ａを本体部８ｂと別個に構成する。ブラケット部８ａに本体部８ｂを回動自在に支持するとともに、本体部８ｂのディスク５対する光線照射角度を調整するチルト機構９を設ける。【選択図】  図１
2005166174.tif 000002
【特許請求の範囲】
【請求項１】
ベースシャーシにターンテーブルとガイドシャフトを載設するとともに、該ガイドシャフトに光ピックアップをスライド自在に組み付け、上記ターンテーブルに載置保持されたディスクの下面に対し、上記光ピックアップを径方向に移動させながら光線を照射するディスクドライブ装置において、上記ガイドシャフトをベースシャーシに固定する一方、上記光ピックアップはガイドシャフトに支持されるブラケット部を本体部と別個に構成し、該ブラケット部に本体部を回動自在に支持し、上記本体部のディスクに対する光線照射角度を調整するチルト機構を設けたことを特徴とするディスクドライブ装置。
【請求項２】
上記チルト機構は、ブラケット部の上面に設けられたカム部材と、該カム部材に上記本体部のカム部を押し付けるべく上記本体部を付勢するスプリングと、上記ブラケット部に設けられて上記カム部材を駆動する調整ねじとで構成したことを特徴とする請求項１に記載のディスクドライブ装置。
【請求項３】
上記本体部の回動方向が上記ディスクの径方向と一致していることを特徴とする請求項２または請求項３に記載のディスクドライブ装置。
【請求項４】
上記光ピックアップは、ディスクの傾きを検出するセンサーを上記本体部に備えていることを特徴とする請求項１ないし請求項３に記載のディスクドライブ装置。
【発明の詳細な説明】
【技術分野】
【０００１】
本発明は、ターンテーブルに載置保持されたディスクの下面に対し、光ピックアップを径方向に移動させながら光線を照射するディスクドライブ装置に関する。
【背景技術】
【０００２】
ディスクドライブ装置は、光ピックアップの傾斜を調整して、ディスクに対する光線の照射角度を垂直にする必要がある。光ピックアップのチルト機構としては、例えば特許文献１に示すように、光ピックアップの走行をガイドするガイドシャフトの一端（ターンテーブルの中心側）を回動自在にベースシャーシに支持し、ガイドシャフトの他端を昇降させるものが知られている。
【特許文献１】特開２０００−２３５７２２号公報
【発明の開示】
【発明が解決しようとする課題】
【０００３】
しかし、このチルト機構では、光ピックアップのチルト量が大きくなると、ガイドシャフトの傾斜が大きくなり、光ピックアップがベースシャーシから持ち上げられて、装置のコンパクト化が妨げられる。
【０００４】
本発明は、このような事情に鑑み、光ピックアップのチルト調整に際して、ガイドシャフトを傾斜させずに光ピックアップのみを傾斜させることで、コンパクト化に有利なディスクドライブ装置を提供することを目的とする。
【課題を解決するための手段】
【０００５】
上記課題を解決するための本発明は、ベースシャーシにターンテーブルとガイドシャフトを載設するとともに、該ガイドシャフトに光ピックアップをスライド自在に組み付け、上記ターンテーブルに載置保持されたディスクの下面に対し、上記光ピックアップを径方向に移動させながら光線を照射するディスクドライブ装置において、上記ガイドシャフトをベースシャーシに固定する一方、上記光ピックアップはガイドシャフトに支持されるブラケット部を本体部と別個に構成し、該ブラケット部に本体部を回動自在に支持し、上記本体部のディスクに対する光線照射角度を調整するチルト機構を設けたことを特徴とする。
【０００６】
かかる構成によれば、光ピックアップのチルト調整に際して、本体部光軸のブラケット部に対する傾斜を調整すればよいので、光ピックアップがベースシャーシから持ち上げられなくなり、装置コンパクト化の妨げがなくなる。
【０００７】
上記チルト機構は、ブラケット部の上面に設けられたカム部材と、該カム部材に上記本体部のカム部を押し付けるべく上記本体部を付勢するスプリングと、上記ブラケット部に設けられて上記カム部材を駆動する調整ねじとで構成するのが好ましい。
このような構成にすると、チルト機構が簡単になり、コスト的に有利になる。
【０００８】
上記本体部の回動方向は上記ディスクの径方向と一致しているのが好ましい。
このような構成にすると、光ピックアップのディスク径方向に対する傾斜を矯正することができる。
【０００９】
上記光ピックアップは、ディスクの傾きを検出するセンサーを上記本体部に備えているのが好ましい。
【発明の効果】
【００１０】
本発明によれば、光ピックアップのチルト調整に際して、本体部光軸のブラケット部に対する傾斜を調整すればよいので、光ピックアップがベースシャーシから持ち上げられなくなり、装置コンパクト化の妨げがなくなる。
【発明を実施するための最良の形態】
【００１１】
以下、本発明の実施の形態を添付図面を参照して説明する。
図１はディスクドライブ装置の平面図、図２は同装置の正面図、図３は同装置の側面図である。
【００１２】
ベースシャーシ１にはターンテーブル２と一対のガイドシャフト３,３とリードスクリュー４が載設してある。ターンテーブル２にはディスク５が載置保持されてモータ６で回転駆動される。ガイドシャフト３,３はベースシャーシ１の軸受け部材７に両端を支持されて互いに平行に配置されている。
【００１３】
ガイドシャフト３,３には光ピックアップ８がスライド自在に組み付けてある。この光ピックアップ８は、ガイドシャフト３に支持されるブラケット部８ａと、レーザー光を発する本体部８ｂを別個に構成してある。本体部８ｂは、その両側面のピン８ｃをブラケット部８ａの軸受け８ｄに支持することで、ディスク５径方向（図１の矢印Ａ方向）に回動できる状態でブラケット部８ａに組み付けてある。なお、本体部８ｂには、ディスク５の傾きを検出するセンサー（図示せず）を設けてある。
【００１４】
光ピックアップ８には、本体部８ｂの光軸Ｌのディスク５に対する角度を調整するチルト機構９を設けてある（図３参照）。このチルト機構９は、ブラケット部７ａの上面に設けられたカム部材１０と、このカム部材１０に本体部８ｂのカム部（図示せず）を押し付けるべく本体部８ｂを付勢する捩りコイルスプリング（図示せず）と、ブラケット部８ａに設けられてカム部材９を回転させる調整ねじ１１とで構成してある。
【００１５】
リードスクリュー４は、その両端をベースシャーシ１の軸受け部材７に支持されてガイドシャフト３と平行に配置されるとともに、ギア１２,１３を介してモータ１４に連結されている。リードスクリュー４には、光ピックアップ８のブラケット部８ａに固設されたラック１５が歯合している。
【００１６】
次に、このディスクドライブ装置の動作について説明する。
【００１７】
モータ１４を回転させると、リードスクリュー４が回転してラック１５を移動させ、光ピックアップ８がガイドシャフト３に案内されながらディスク５の径方向に沿って移動する。光ピックアップ８のレンズ部８ｅから発せられたレーザー光は、ディスク５の下面に照射され、その反射光がレンズ部８ｅに戻り、データの読み取りが行なわれる。
【００１８】
調整ねじ１１を回転すると、カム部材１０が回転し、光ピックアップ８の本体部８ｂがピン８ｃを支点として回転する。よって、光ピックアップ８のチルト調整に際しては、調整ねじ１１を回転させてディスク５からの反射光を最大にすればよい。このとき、本体部８ｂの光軸Ｌがディスク５に対して垂直に設定されることになる。
【００１９】
つまり、光ピックアップ８のチルト調整は、従来のようにガイドシャフト３,３を傾斜させるのではなく、本体部８ｂをブラッケト部８ａに対して傾斜させて行なうので、光ピックアップ８がベースシャーシ１から持ち上げられことがなくなり、装置コンパクト化の妨げがなくなる。
【００２０】
なお、本発明のディスクドライブ装置は、以上の実施の形態に限定されるものではなく、本発明の要旨を逸脱しない範囲内で種々の変更を加えることができる。
【図面の簡単な説明】
【００２１】
【図１】本発明のディスクドライブ装置を示す平面図である。
【図２】同ディスクドライブ装置の正面図である。
【図３】同ディスクドライブ装置の側面図である。
【符号の説明】
【００２２】
１  ベースシャーシ
２  ターンテーブル
３  ガイドシャフト
４  リードスクリュー
５  ディスク
８  光ピックアップ
８ａ  ブラケット部
８ｂ  本体部
８ｃ  ピン
８ｄ  軸受け
９  チルト機構
１０  カム部材
１１  調整ねじ
１２  ギア
１３  ギア
１４  モータ
１５  ラック
【図１】
2005166174.tif 000003
【図２】
2005166174.tif 000004
【図３】
2005166174.tif 000005